(57)【要約】【課題】使用者が食事をする際に食べこぼしをした食物や液体などの落下物を確実に受け入れて収納することができるとともに、簡単に折り畳むこともできるエプロンを提供すること。【解決手段】エプロン本体２０の表面側における上方側位置の外方領域に形成された第１上方係止部４１と第２上方係止部４２と、エプロン本体２０の下方側位置の外方領域に形成され、第１上方係止部４１の位置よりも外側の第１下方係止部５１と第２上方係止部４２の位置よりも外側の第２下方係止部５２と、少なくとも第１下方係止部５１と第２下方係止部５２との間に形成されている補強部８０を備え、第１上方係止部４１と第１下方係止部５１を着脱可能に止め第２上方係止部４２と第２下方係止部５２を着脱可能に止めてエプロン本体２０の一部分を用いて落下物の受容部３０が形成され、補強部８０は、第１下方係止部５１と第２下方係止部５２を結ぶよう形成されている。【選択図】        図３
2005023476.tif 000002
【特許請求の範囲】
【請求項１】
使用者の首周りに対して着脱自在に取り付けられる首周り部と、前記首周り部から延びるように形成されているエプロン本体とを有するエプロンにおいて、
前記エプロン本体の表面側であって、上方側位置の一方の外方領域に形成された第１上方係止部と他方の外方領域に形成された第２上方係止部と、
前記第１上方係止部と前記第２上方係止部の位置よりも前記エプロン本体の下方側位置であり、前記下方側位置の一方の外方領域に形成された第１下方係止部と、前記下方側位置の他方の外方領域に形成された第２下方係止部であって、前記第１上方係止部の位置よりも外側に配置されている前記第１下方係止部と、前記第２上方係止部の位置よりも外側に配置されている前記第２下方係止部と、
前記エプロン本体における、少なくとも前記第１下方係止部と前記第２下方係止部との間に形成されている補強部と、を備え、
前記第１上方係止部と前記第１下方係止部を着脱可能に止め、かつ前記第２上方係止部と前記第２下方係止部を着脱可能に止めることで前記エプロン本体の一部分を用いて落下物の受容部が形成される構成であり、
前記補強部は、前記第１下方係止部と前記第２下方係止部を結ぶよう形成されていることを特徴とするエプロン。
【請求項２】
前記補強部は前記エプロン本体の上下方向に沿って形成され、前記エプロン本体の左右方向に関して前記補強部の屈曲を可能とする脆弱部が形成されたことを特徴とする請求項１に記載のエプロン。
【請求項３】
前記エプロン本体は、前記第１下方係止部と前記第２下方係止部よりも下側に延びており、少なくとも前記第１上方係止部と前記第２上方係止部と前記第１下方係止部と前記第２下方係止部の間の前記エプロン本体の領域には、防水処理が施されていることを特徴とする請求項１または請求項２に記載のエプロン。
【請求項４】
前記第１上方係止部の近傍に設けられた第１上方補助係止部と、前記第２上方係止部の近傍に設けられた第２上方補助係止部と、
前記第１上方係止部と前記第１下方係止部の間であり、しかも前記第１上方補助係止部よりも外側に設けられた第１下方補助係止部と、前記第２上方係止部と前記第２下方係止部の間であり、しかも前記第２上方補助係止部よりも外側に設けられた第２下方補助係止部と、をさらに有し、
前記第１上方補助係止部と第１下方補助係止部を着脱自在に止めて第１横漏れ防止部を形成し、前記第２上方補助係止部と第２下方補助係止部を着脱自在に止めて第２横漏れ防止部を形成する構成であることを特徴とする請求項１乃至請求項３のいずれかに記載のエプロン。
【請求項５】
前記第１上方係止部と前記第２上方係止部と前記第１下方係止部と前記第２下方係止部の各形状は、前記第１上方補助係止部と前記第２上方補助係止部と前記第１下方補助係止部と前記第２下方補助係止部の各形状とは異なることを特徴とする請求項４に記載のエプロン。
【請求項６】
前記第１下方補助係止部と、前記第２下方補助係止部が形成された部位における前記エプロン本体の外側縁が外方に突出した突出部とされていることを特徴とする請求項４に記載のエプロン。
【請求項７】
前記補強部の一端部は、前記第１下方係止部よりも外側に延びて形成されており、前記補強部の他端部は、前記第２下方係止部よりも外側に延びて形成されていることを特徴とする請求項１に記載のエプロン。
【請求項８】
前記第１上方係止部と前記第２上方係止部に対して、前記第１下方係止部と前記第２下方係止部をそれぞれ斜め上方に向かって着脱自在に止めることを特徴とする請求項１に記載のエプロン。
【請求項９】
前記エプロン本体の一方の外側縁と他方の外側縁であって、前記各上方係止部と前記各下方掛止部の間となる区間の少なくとも一部には、それぞれ輪状の突出部が形成されていることを特徴とする請求項１に記載のエプロン。
【発明の詳細な説明】
【０００１】
【発明の属する技術分野】
本発明は、乳幼児や要介護者などの使用者が食事をする際に、使用者の衣服などの汚れを防止するためのエプロンに関するものである。
【０００２】
【従来の技術】
使用者、たとえば乳幼児や要介護者が食事をする際には、食物が口からこぼれて着ている服や床などを汚す恐れがある。このために使用者が食事をする際には食事用のエプロンを着用させることがある。
このように乳幼児や要介護者（被介助者ともいう）などが食事の際に使用するエプロンは、食べこぼしエプロンなどとして従来用いられている。この種のエプロンの下端側にはポケットが形成されており、このポケットの中に食べこぼした食物や液状物を収める形式のものがある。
【０００３】
しかし、従来この種のポケットが形成されたエプロンは、ポケットを形成する作業性が悪く、使い勝手が良くなかった。
そのために、エプロンに簡易的にポケットが形成できる組み立て型のエプロンが提案されている（特許文献１乃至特許文献３）。
【０００４】
【特許文献１】
実開平７−４４０２５号公報（第１頁、図１）
【特許文献２】
実開平７−４４１００号公報（第１頁、図１）
【特許文献３】
実用新案登録第２５８８３８７号公報（第１頁乃至第２頁、図１乃至図２）
【０００５】
【発明が解決しようとする課題】
ところが、上述した従来の組み立て式のエプロンでは次のような問題がある。
すなわち、各エプロンは、薄く柔らかい材質により作られているので、使用者がエプロンを組み立ててポケットを形成したとしても、ポケットの開口部を確実に形成して保持することができない。したがって、使用者が食事の際にこの種のエプロンを使用すると、食べこぼしをした固形の食物や液体がポケット内にうまく収めることができないという問題があった。
そこで本発明は上記課題を解消し、使用者が食事をする際に食べこぼしをした食物や液体などの落下物を確実に受け入れて収納することができるとともに、簡単に折り畳むこともできるエプロンを提供することを目的としている。
【０００６】
【課題を解決するための手段】
第１の発明は、使用者の首周りに対して着脱自在に取り付けられる首周り部と、前記首周り部から延びるように形成されているエプロン本体とを有するエプロンにおいて、前記エプロン本体の表面側であって、上方側位置の一方の外方領域に形成された第１上方係止部と他方の外方領域に形成された第２上方係止部と、前記第１上方係止部と前記第２上方係止部の位置よりも前記エプロン本体の下方側位置であり、前記下方側位置の一方の外方領域に形成された第１下方係止部と、前記下方側位置の他方の外方領域に形成された第２下方係止部であって、前記第１上方係止部の位置よりも外側に配置されている前記第１下方係止部と、前記第２上方係止部の位置よりも外側に配置されている前記第２下方係止部と、前記エプロン本体における少なくとも前記第１下方係止部と前記第２下方係止部との間に形成されている補強部と、を備え、前記第１上方係止部と前記第１下方係止部を着脱可能に止めかつ前記第２上方係止部と前記第２下方係止部を着脱可能に止めることで前記エプロン本体の一部分を用いて落下物の受容部が形成される構成であり、前記補強部は、前記第１下方掛止部と前記第２下方係止部を結ぶよう形成されていることを特徴とするエプロンである。
【０００７】
上記構成によれば、第１上方係止部は、エプロン本体の身体とは反対側となる表面側であって、上方位置の一方の外方領域に形成され、第２上方係止部は、他方の外方領域に形成されている。
第１下方係止部は、第１上方係止部と第２上方係止部の位置よりもエプロン本体の下方側位置であり下方側位置の一方の外方領域に形成されている。第２下方係止部は、下方側位置の他方の外方領域に形成されている。
第１下方係止部は、第１上方係止部の位置よりも外側に配置され、第２下方係止部は、第２上方係止部の位置よりも外側に配置されている。
補強部は、エプロン本体における第１下方係止部と第２下方係止部との間であって、各下方係止部を結ぶように形成されている。
【０００８】
落下物の受容部は、第１上方係止部と第１下方係止部を着脱可能に止めかつ第２上方係止部と第２下方係止部を着脱可能に止めることで、エプロン本体の一部分を用いて形成される部分である。
この補強部は、受容部を補強可能とするためにエプロン本体よりも強い剛性を有する部分であり、第１下方係止部と第２下方係止部を結ぶように配置されている。
【０００９】
これにより、使用者がエプロンの首周り部を用いて首周りに対して取り付けて、エプロン本体は使用者の衣服を覆う。
この状態で、落下物の受容部が形成されると、ポケットとして機能する受容部の開口部は、補強部の存在により確実に形成することができる。このことから、使用者が食事をする際に食べこぼしをした食物や液体は、この落下物の受容部により確実に収容することができる。
しかも、各上方係止部よりも各下方係止部が外側に配置されていて、各下方係止部を結ぶように補強部が形成されているため、受容部を形成した際に、受容部の開口側が前方に突出することとなり、ポケットとして受容部が開いた形を形成し、維持することができる。
【００１０】
第２の発明は、第１の発明の構成において、前記補強部は、前記エプロン本体の上下方向に沿って形成され、前記エプロン本体の左右方向に関して前記補強部の屈曲を可能とする脆弱部が形成されたことを特徴とする。
上記構成によれば、前記補強部は、脆弱部を有している。この脆弱部は、エプロン本体の上下方向に沿って形成され、エプロン本体の左右方向に関して補強部の屈曲を可能にする部分である。
この補強部が脆弱部を有しているので、落下物の受容部を形成する際に、各上方係止部よりも各下方係止部が外方に位置していることとあいまって、落下物の受容部が使用者の前方に飛び出したポケット形状にすることができる。このことから、落下物の受容部の開口部が確実に形成できるというメリットもある。
しかも、補強部は脆弱部を有しているので、エプロンを折り畳む際に補強部の存在が邪魔にならず、補強部の脆弱部を用いて、エプロンは簡単に畳むことができる。
【００１１】
第３の発明は、第１または第２の発明の構成において、前記エプロン本体は、前記第１下方係止部と前記第２下方係止部よりも下側に延びており、少なくとも前記第１上方係止部と前記第２上方係止部と前記第１下方係止部と前記第２下方係止部の間の前記エプロン本体の領域には、防水処理が施されていることを特徴とする。
【００１２】
上記構成によれば、エプロン本体は、第１下方係止部と第２下方係止部よりも下側に延びている。このエプロン本体は、少なくとも第１上方係止部と第２上方係止部と第１下方係止部と第２下方係止部の間のエプロン本体の領域において防水処理が施されている。
これにより、落下物の受容部を形成すると、少なくとも落下物の受容部の内部は防水処理を施しているので、食べこぼしをした食物や液体を確実に収容することができる。この防水処理は、撥水処理をも含むものである。
なお、この防水処理は、少なくとも各上方係止部と各下方係止部の間となる区間について、防水性の基材を使用してもよく、表面に防水処理を施すことで形成してもよい。さらには、エプロン本体を防水性の基材で一体に形成してもよい。
【００１３】
第４の発明は、第１乃至第３の発明の構成において、前記第１上方係止部の近傍に設けられた第１上方補助係止部と、前記第２上方係止部の近傍に設けられた第２上方補助係止部と、前記第１上方係止部と前記第１下方係止部の間であり、しかも前記第１上方補助係止部よりも外側に設けられた第１下方補助係止部と、前記第２上方係止部と前記第２下方係止部の間であり、しかも前記第２上方補助係止部よりも外側に設けられた第２下方補助係止部と、をさらに有し、前記第１上方補助係止部と第１下方補助係止部を着脱自在に止めて第１横漏れ防止部を形成し、前記第２上方補助係止部と第２下方補助係止部を着脱自在に止めて第２横漏れ防止部を形成する構成であることを特徴とする。
【００１４】
上記構成によれば、第１上方補助係止部は、第１上方係止部の近傍に設けられており、第２上方補助係止部は、第２上方係止部の近傍に設けられている。
第１下方補助係止部は、第１上方係止部と第１下方係止部の間にあり、しかも第１上方補助係止部より外側に設けられている。第２下方補助係止部は、第２上方係止部と第２下方係止部の間であり、しかも第２上方補助係止部よりも外側に設けられている。
第１横漏れ防止部は、第１上方補助係止部と第１下方補助係止部を着脱自在に止めることで形成される。第２横漏れ防止部は、第２上方補助係止部と第２下方補助係止部を着脱自在に止めることで形成される。
これにより、落下物の受容部内に収容された落下物が、第１横漏れ防止部と第２横漏れ防止部の存在によりエプロンの横方向へ向けて外部に漏れるのを確実に防ぐことができる。
【００１５】
第５の発明は、第４の発明の構成において、前記第１上方係止部と前記第２上方係止部と前記第１下方係止部と前記第２下方係止部の各形状は、前記第１上方補助係止部と前記第２上方補助係止部と前記第１下方補助係止部と前記第２下方補助係止部の各形状とは異なることを特徴とする。
【００１６】
上記構成によれば、第１上方係止部と第２上方係止部と第１下方係止部と第２下方係止部の各形状は、第１上方補助係止部と第２上方補助係止部と第１下方補助係止部と第２下方補助係止部の各形状とは異なるものである。
これによって、着脱可能に止めようとする係止部の位置は、目視で確認できるので、間違えない。
【００１７】
第６の発明は、第４の発明の構成において、前記第１下方補助係止部と、前記第２下方補助係止部が形成された部位における前記エプロン本体の外側縁が外方に突出した突出部とされていることを特徴とする。
【００１８】
上記構成において、第１下方補助係止部と第２下方補助係止部が形成された部位において、エプロン本体の外側縁が外方に突出した突出部とされている。
これにより、エプロン本体の外側縁が外方に突出した突出部とされた部位に、第１下方補助係止部と前記第２下方補助係止部が設けられているので、各下方補助係止部が突出部とされた外方に位置して内側に折られることで第１横漏れ防止部と第２横漏れ防止部を形成することとなるため、各横漏れ防止部の形成が容易になり、しかも落下物の受容部も形成しやすくなると共に、受容部の横からの漏れを確実に防ぐことができる。
【００１９】
第７の発明は、第１の発明の構成において、前記補強部の一端部は、前記第１下方係止部よりも外側に延びて形成されており、前記補強部の他端部は、前記第２下方係止部よりも外側に延びて形成されていることを特徴とする。
【００２０】
上記構成において、補強部の一端部は、第１下方係止部よりも外側に延びて形成されており、補強部の他端部は、第２下方係止部よりも外側に延びて形成されている。
これにより、ポケットに食品が入り込んだことなどによる補強部の重量によって、落下物の受容部の先端が少し下がることに伴い、補強部の一端部と補強部の他端部が上方に向く方向になる。これによって、落下物の受容部の一方側と他方側が斜め上方に向かうことになり、受容部の開口をさらに確実に立体的に形成して形状保持をすることができる。
【００２１】
第８の発明は、第１の発明の構成において、前記第１上方係止部と前記第２上方係止部に対して、前記第１下方係止部と前記第２下方係止部をそれぞれ斜め上方に向かって着脱自在に止めることを特徴とする。
【００２２】
上記構成において、第１上方係止部と第２上方係止部に対して、第１下方係止部と第２下方係止部をそれぞれ斜め上方に向かって着脱自在に止めるようになっている。
これにより、落下物の受容部の一端部と他端部が斜め上方に向かって積極的に形成できるので、受容部の開口をより立体的に形成して確実に形状保持することができる。
【００２３】
第９の発明は、第１の発明の構成において、前記エプロン本体の一方の外側縁と他方の外側縁であって、前記各上方係止部と前記各下方掛止部の間となる区間の少なくとも一部には、それぞれ輪状の突出部が形成されていることを特徴とする。
【００２４】
上記構成において、エプロン本体の一方の外側縁と他方の外側縁であって、各上方係止部と各下方掛止部の間となる区間の少なくとも一部には、それぞれ輪状の突出部が形成されている。
これにより、第１下方係止部と第２下方係止部はそれぞれ輪状の突出部を通じて対応する第１上方係止部と第２上方係止部に着脱自在に止めることにより、エプロン本体の一方の外側縁と他方の外側縁が吊り上げられる。したがって、落下物の受容部の一方側と他方側から、落下物が外部へ横漏れするのを確実に防ぐことができる。
【００２５】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２６】
第１の実施形態
図１は、本発明のエプロンの好ましい実施形態を示している。
図１に示すエプロン１０は、使用者Ｍの前側の衣服を覆った状態を示していて、たとえば使用者Ｍが椅子に座った状態である。
エプロン１０は、概略的にはエプロン取付け支持部分としての首周り部１５と、エプロン本体２０とを有している。図１のエプロン１０の使用例では、エプロン１０の下側縁２１がそのまま使用者Ｍに沿ってほぼ下方に垂れた状態である。
【００２７】
これに対して、図２の使用例では、エプロン１０のエプロン本体２０の下側縁２１は、テーブル２の上面を覆うようにして置かれている。
これによって、テーブルを使用して食事をする際にはこの下側縁２１と後で説明する受容部３０の間の領域２３の上にたとえば食器を載せるトレイを置くことにより、テーブル２の上面を汚すことのないようにして使用者Ｍが食事をすることができる。
たとえばエプロン２０の使用者が乳幼児や要介護者であり、スープなどを食器などからこぼしても、こぼれたスープなどの食物は、領域２３の表面で留まり、テーブル２の表面にはこぼれ出さないようにすることができる。
【００２８】
図１と図２に示すように、エプロン１０はエプロン本体２０を組み立てることにより、ポケット状とされた落下物の受容部３０を形成することができる。この落下物の受容部３０は、エプロン１０のエプロン本体２０の表面１６側に形成でき、たとえばエプロン本体２０のほぼ中央位置に形成される。
本発明のエプロン１０は、食事用エプロンなどとも呼ぶことができ、使用者としては、介助者の介助による食事や、自ら食事を行えるもののこぼすことが多い乳幼児や要介護者（被介助者ともいう）である。
【００２９】
図３は、図１と図２に示すエプロン１０の形状例を示す展開図である。
このエプロン１０は、折り畳んだ状態で収納袋に収納されているものを、拡げることで展開して使用することができる。
エプロン１０の首周り部１５は、図１に示すように使用者Ｍの首１の周りに装着することにより、エプロン１０を使用者Ｍに保持させるようになっている。首周り部１５は、使用者Ｍの首周りの大きさに相当するほぼ円形状の開口部２９を有している。首周り部１５は、接続部２７，２８を有している。接続部２７，２８は、たとえば面ファスナ２５，２６を用いて着脱可能に固定することができる。面ファスナ２５はたとえば雄部材であり、面ファスナ２６はたとえば雌部材を採用することができるが、逆に用いても良い。
なお、首周り部１５における接続部２７，２８は面ファスナ２５，２６だけではなく、係止フックやバックル等を使用してもよく、首周り部１５自体を紐で形成してもよい。さらに首周り部１５に接続部２７，２８を形成するのではなく、伸縮可能な弾性体で首周り部１５を形成してもよい。
【００３０】
図３に示すエプロン本体２０は、首周り部１５に連続して形成されている。
首周り部１５およびエプロン本体２０を形成している基材は薄い材質のものであり、たとえばエステルとポリエステルを混ぜた素材を使用している。
エプロン本体２０と首周り部１５の表面１６は、好ましくは全面にわたって防水処理が施されている。この防水処理としては、たとえば強撥水アクリルコートを使用することができる。なお、ここでいう防水処理としては、撥水処理も含む概念であると共に、ウレタンシートや塩ビシートなど、防水性の基材により形成されているものも含まれる。
【００３１】
しかし、食べこぼしをした固形の食物や液体は、図１と図２に示す落下物の受容部３０内に収容されるので、防水処理部は、好ましくは図３の少なくとも第１上方係止部４１、第２上方係止部４２、第１下方係止部５１、第２下方係止部５２の間の領域を防水処理領域部５５としても良い。
首周り部１５の開口部２９の周囲と、エプロン本体２０の周囲には、バイアス部１２，１３が形成されている。
特に首周り部１５の開口部２９の周囲に設けられたバイアス部１２は、首にあたった際の感触を良好とするため、伸縮性を有する軟らかな基材にてバイアスを形成している。
【００３２】
図３に示すように、エプロン本体２０は、身体とは逆側の面となる表面１６と、身体に接触する面となる裏面１７を有している。図３の例では、エプロン本体２０の表面１６には、第１上方係止部４１、第２上方係止部４２、第１下方係止部５１および第２下方係止部５２が設けられている。
この表面１６には、さらに第１上方補助係止部６１、第２上方補助係止部６２、第１下方補助係止部７１、第２下方補助係止部７２が設けられている。
第１下方係止部５１と第２下方係止部５２の間には、補強部８０が各下方係止部５１，５２を結ぶように形成されている。
ここでは、この補強部８０は、裏面１７側に配置されていて、補強部８０は表面１６から直接見えないようになっているが、表面１６側に配置して補強部８０上に各下方係止部５１，５２を配置してもよい。
【００３３】
第１上方係止部４１、第２上方係止部４２、第１上方補助係止部６１、第２上方補助係止部６２は、たとえば面ファスナの雌部材を採用している。
これに対して、第１下方係止部５１と第２下方係止部５２と第１下方補助係止部７１および第２下方補助係止部７２は、面ファスナの雄部材を採用している。この雌部材と雄部材は、逆に使用しても勿論構わない。
面ファスナの雄部材と面ファスナの雌部材は、着脱可能に止めることができるものである。本発明の実施形態において使用する面ファスナは、たとえば所謂マジックテープ（登録商標）を使用することができる。
【００３４】
図１と図２に示す落下物の受容部３０は、ポケットなどとも呼ぶことができる。
落下物の受容部３０を形成する場合には、落下物の受容部３０は、図３の第１上方係止部４１、第２上方係止部４２、第１下方係止部５１、第２下方係止部５２を主に用いて形成する。
落下物の受容部３０を形成した場合に、落下物が図３のＥ方向に沿って外部へ横漏れするのを防止するために、第１上方補助係止部６１、第２上方補助係止部６２、第１下方補助係止部７１、第２下方補助係止部７２を用いる。
【００３５】
第１上方係止部４１は、第１下方係止部５１と着脱可能に固定することができる。第２上方係止部４２は第２下方係止部５２と着脱可能に固定することができる。
これに対して、第１上方補助係止部６１は第１下方補助係止部７１と着脱可能に固定することができる。第２上方補助係止部６２は、第２下方補助係止部７２と着脱可能に固定することができる。
第１上方係止部４１、第２上方係止部４２、第１下方係止部５１、第２下方係止部５２の組は、第１上方補助係止部６１、第２上方補助係止部６２、第１下方補助係止部７１、第２下方補助係止部７２とは用途が異なるので、異なる形状に形成されている。
【００３６】
図３の例では、第１上方係止部４１、第２上方係止部４２と、対応する第１下方係止部５１、第２下方係止部５２は、たとえば正方形状になっている。これに対して、第１上方補助係止部６１、第２上方補助係止部６２と、対応する第１下方補助係止部７１、第２下方補助係止部７２は、たとえば円形状になっていて、形状を変えることで異なる係止部に係止してしまうなど使用方法を誤るのを防ぐようになっている。
しかし、これらの係止部の形状は正方形状や円形状に限らず、異なる種類の形状であれば、たとえば長方形状と楕円形状あるいは数字を模式化した形状などその他の形状を組み合わせることも勿論可能である。
図３に示す補強部８０は、たとえば図１に示すように落下物の受容部３０の開口８１を確実に形成するための補強部材である。この補強部８０は、たとえばポリプロピレンテープやナイロンテープ、アクリルテープ、ポリエチレンフォームなどのような一定の剛性を有しつつ軽い素材で作られている板状の部材である。
なお、この補強部８０を含めたエプロン１０は、乾燥機などにおける熱に耐えられるよう、摂氏１３０度以上の耐熱性を有することが好ましい。
また、洗濯や乾燥機の使用に伴い、補強部８０とエプロン本体２０を直接縫合した場合、その収縮率の違いからエプロン本体２０側にシワなどが発生することを防ぐために、補強部８０について、エプロン本体２０と同一または略同等の物性を有する素材からなるシート体で補強部８０を覆い、補強部８０をエプロン本体２０に直接縫合するのではなく、補強部８０を覆うシート体がエプロン本体２０と縫合されるように構成しても良い。
さらに、エプロン本体２０における補強部８０に対応した位置について、補強部８０と沿った方向をＺ字状に折り返し、折り返された中に補強部８０を収容してＺ字状の折り返し部を縫合するよう構成し、補強部８０がエプロン本体２０に直接縫合されないよう構成しても良い。
【００３７】
図４は、この補強部８０の形状例を示している。補強部８０は第１下方係止部５１と第２下方掛止部５２を結んで連結するよう、たとえば長方形の板状の部材シート基材であるが、一例として２ヶ所の脆弱部８３，８３を有している。補強部８０は、中央部８０Ａと端部８０Ｂ，８０Ｃを有している。脆弱部８３，８３は、中央部８０Ａに対して端部８０Ｂ，８０ＣをたとえばＲ方向に折り畳むことができるようになっている。
【００３８】
このように長い板状の補強部８０が図３に示すようにエプロン本体２０に設けられていても、脆弱部８３，８３が存在しているのでエプロン本体２０は小さく折り畳んでたとえば袋に収納することができる。
また図１と図２に示すように、補強部８０の脆弱部８３，８３が各係止部４１，４２，５１，５２よりも内方にそれぞれ位置していることにより、受容部３０を組み立てた際に、補強部８０が脆弱部８３，８３で屈曲することとなり、受容部３０の開口８１が、使用者Ｍから見て前方Ｆに向けて立体的に延びるようにして確実に形成することができるというメリットもある。
【００３９】
図３を参照しながら、各係止部の配置位置の例について説明する。
第１上方係止部４１と第２上方係止部４２は、表面１６側におけるエプロン１０の中心軸ＣＬを中心として左右対称位置に配置されている。この中心軸ＣＬは、エプロン１０の上下方向の線である。第１上方係止部４１は、エプロン本体２０の上方位置の一方の外方領域に形成されており、第２上方係止部４２は上方側位置の他方の外方領域に形成されている。また、各上方係止部４１，４２は、使用者の胸部から上方に位置することが好ましい。
【００４０】
これに対して、図３に示す第１下方係止部５１は、エプロン本体２０の下方側位置の一方の外方領域に形成されている。第２下方係止部５２は、エプロン本体２０の下方側位置の他方の外方領域に形成されている。このエプロン本体２０の下方側位置は、エプロン本体２０の上方側位置よりも下側であり、すなわち、第１上方係止部４１と第２上方係止部４２の位置よりも下側にあって、使用状態を考えると、各上方係止部４１，４２から２０ｃｍ乃至３５ｃｍ程度、下方に離間して配置されている。
【００４１】
第１下方係止部５１は、第１上方係止部４１よりもさらにＥ方向に向けて外側に配置されており、第２下方係止部５２は、第２上方係止部４２に比べてさらにＥ方向に向けて外側に配置されている。つまり第１下方係止部５１と第２下方係止部５２の間隔は、第１上方係止部４１と第２上方係止部４２の間隔に比べて、中心軸ＣＬを中心として大きく設定されている。このような各上方係止部４１，４２と各下方係止部５１，５２の大きさの違いは、受容部３０における開口部８１の突出量に合わせて調整することができるが、各下方係止部５１，５２の距離が、各上方係止部４１，４２の距離よりも１１０％乃至１３０％程度の範囲で大きくなるよう形成することが好ましい。
なお、各下方係止部５１，５２はエプロン１０の表面１６側に形成されていることが好ましいが、裏面１７側に形成し、反転させて各係止部４１，４２に接合するよう形成してもよい。
【００４２】
次に、第１上方補助係止部６１は、第１上方係止部４１の近傍であり第１上方係止部の下側に形成されている。第２上方補助係止部６２は、第２上方係止部４２の近傍であって下側に形成されている。なお、ここでは各上方補助係止部６１，６２は、それぞれ各上方係止部４１，４２の外側となる斜め下の位置に配置されている。第１上方補助係止部６１と第２上方補助係止部６２の間隔は、第１上方係止部４１と第２上方係止部４２の間隔と略同等となるように設定されている。
なお、各上方補助係止部６１，６２は表面１６側に形成されており、受容部３０の形成しやすさを考慮すると、各上方補助係止部６１，６２は、各上方係止部４１，４２の下側から外側の領域に位置することが好ましい。
【００４３】
第１下方補助係止部７１は、エプロン本体２０の外側縁９１の近くに沿って形成されており、第２下方補助係止部７２は、外側縁９２の近くに沿って形成されている。
第１下方補助係止部７１と第２下方補助係止部７２の間隔は、第１上方補助係止部６１と第２上方補助係止部６２の間隔に比べて中心軸ＣＬを中心として大きく設定されている。そして第１下方補助係止部７１と第２下方補助係止部７２の間隔は、第１下方係止部５１と第２下方係止部５２の間隔に比べても大きく、最も外側に位置するように設定されている。
このことから第１下方補助係止部７１は、第１上方補助係止部６１に比べてＥ方向に沿って外側に配置され、第２下方補助係止部７２は第２上方補助係止部６２に比べてもＥ方向に沿って外側に形成されている。
なお、各下方補助係止部７１，７２はエプロン１０の表面１６側に形成することが好ましいが、裏面１７側に形成し、反転させて各上方補助係止部６１，６２に着脱するよう構成してもよい。
上述したように、各係止部の位置関係は、中心軸ＣＬを中心として、各上方係止部４１，４２、各上方補助係止部６１，６２、各下方係止部５１，５２、各下方係止補助部７１，７２の順に配置されている。また、上方から、各上方係止部４１，４２、各上方補助係止部６１，６２、各下方係止補助部７１，７２、各下方係止部５１，５２の順に配置されている。
【００４４】
図３の各組の係止部は、中心軸ＣＬを中心として左右対称位置に配置されている。外側縁９１と外側縁９２には、それぞれ切り欠き部分１０１と切り欠き部分１０２が設けられている。切り欠き部分１０１は第１下方係止部５１の付近に形成され、もう１つの切り欠き部分１０２は第２下方係止部５２の付近に形成されている。
また、各切り欠き部分１０１，１０２の上方には突出部１０３，１０４が形成されており、突出部１０３の外側縁近傍に第１下方補助係止部７１が、突出部１０４の外側縁近傍に第２下方補助係止部７２が形成されている。
突出部１０３，１０４が形成されていることにより、第１下方係止部５１のエプロン本体２０の外側縁と第２下方係止部５２の上方となるエプロン本体２０の外側縁が突出しており、突出部１０３，１０４上に各下方補助係止部７１，７２が形成されているので、突出部１０３，１０４を内側に向かって折って対応する上方補助係止部６１，６２に下方補助係止部７１，７２を接合することで第１横漏れ防止部と第２横漏れ防止部を形成することが容易になり、しかも図１の落下物の受容部３０も形成がしやすくなる。さらに、切り欠き部分１０１，１０２を形成することで、図５に示されるように受容部３０を形成した際に、外側縁９１，９２が連続して配置される事となり、食事の際に外側縁９１，９２が動きを妨げることがない。
【００４５】
次に、図１乃至図６を参照して、本発明のエプロン１０の使用例について説明する。
たとえば図３に示すエプロン１０はあらかじめ小さく折り畳まれている。この折り畳まれたエプロン１０は拡げて、図１もしくは図２に示す使用例のように、首周り部１５を用いて使用者Ｍに装着する。この場合に図３に示す首周り部１５の開口部２９の中に首１を入れて、面ファスナ２５と面ファスナ２６を着脱可能に止める。
これによって、エプロン１０のエプロン本体２０は、図１または図２に示すように使用者Ｍの衣服の上を覆うことができる。
エプロン１０を使用者Ｍに装着する前にもしくは装着した後に、落下物の受容部３０を形成することができるが、身体に合わせた位置に受容部３０を微調整することを考慮すると、使用者Ｍが装着した後に形成することが好ましい。落下物の受容部３０を形成する場合には、図３，図５，そして図６に示すような組み立て手順で組み立てて形成することができる。
【００４６】
図３に示すエプロン本体２０は展開された状態であるが、図３の展開状態のエプロン本体２０は、図５に示すように受容部３０の組み立て途中状態を経て、図６に示すように受容部３０を形成することができる。
まず、図３の第１下方補助係止部７１が形成された突出部１０３を内側に向かって折り込むように移動させて、第１下方補助係止部７１を第１上方補助係止部６１に対して着脱可能に止める。同様にして、第２下方補助係止部７２を第２上方補助係止部６２に対して着脱可能に止める。
このようにすることで、図５に示すようにエプロン本体２０の一方側には第１横漏れ防止部１２１が形成でき、他方には第２横漏れ防止部１２２が形成できる。このように第１横漏れ防止部１２１と第２横漏れ防止部１２２を形成することにより、受容部３０の中に入った落下物がＥ方向に横漏れするのを完全に防止することができる。この場合に、図３のように突出部１０３，１０４と、切り欠き部分１０１，１０２が設けられているので、第１横漏れ防止部１２１と第２横漏れ防止部１２２は折り曲げにより作りやすく、各横漏れ防止部１２１，１２２を形成した状態において腕などの動作を阻害することがない。
【００４７】
次に、図５に示すように矢印Ｇに沿ってエプロン本体２０の下方係止部５１，５２側が上方に向かうよう移動することで内側に折り返されるように変形させて、第１下方係止部５１を第１上方係止部４１に対して着脱可能に止めるとともに、第２下方係止部５２を第２上方係止部４２に対して着脱可能に止める。
これによって、図６に示すような落下物の受容部３０が、エプロン本体２０のほぼ上下方向に関して中央部に形成できるのである。図１に示すように落下物の受容部３０は、使用者Ｍが食事の時にＨ方向に落とした落下物を開口８１から確実に収容することができる。
【００４８】
この場合に、各下方係止部５１，５２の幅が各上方係止部４１，４２の幅よりも大きくされると共に、第１下方係止部５１と第２下方係止部５２を結ぶように補強部８０が設けられ、さらに、補強部８０が脆弱部８３，８３を有していることから、落下物の受容部３０の開口８１の形状を図１のＦ方向（前方方向）に立体的に保持して確実に形成することができるとともに、Ｆ方向に積極的に開口８１を開くようにして前方に向けて形成することができる。
このことから、Ｈ方向に落下した落下物は、エプロン本体２０の表面１６に沿って開口８１を通じて受容部３０の中に確実に導いて収容することができる。
しかも、図１と図５に示す第１横漏れ防止部１２１と第２横漏れ防止部１２２が形成されていることから、受容部３０に入った落下物が横方向に漏れるということが全く無くなる。少なくとも受容部３０は防水処理されているので、収容された落下物の液体漏れも発生しない。
【００４９】
第２の実施形態
図７と図８は、本発明のエプロンの第２の実施形態を示している。
図７と図８に示すエプロン１０が、図３に示すエプロン１０の構造と異なるのは、第１上方補助係止部６１と第２上方補助係止部６２の配置位置である。
図７と図８の例では、第１上方補助係止部６１は、第１上方係止部４１の真下位置にあり、第２上方補助係止部６２は第２上方係止部４２の真下位置にある。このような第１上方補助係止部６１と第２上方補助係止部６２の配置位置を採用することにより、図８に示すように第１横漏れ防止部１２１と第２横漏れ防止部１２２を形成した場合に、第１横漏れ防止部１２１と第２横漏れ防止部１２２をより中心軸ＣＬ側に近付くようにして形成することができる。
図７のエプロン１０の構成要素と図３に示すエプロン１０の構成要素と同じ部分には同じ符号を記してその説明を用いる。
【００５０】
第３の実施形態
図９乃至図１１は、本発明のエプロンの第３の実施形態を示している。
図９と図１１に示すエプロン１０が、図３に示すエプロン１０と異なるのは、第１下方補助係止部７１と第２下方補助係止部７２の配置箇所である。図９と図１１のエプロン１０のその他の構成要素は、図３のエプロン１０の対応する構成要素と同じであるので同じ符号を記してその説明を用いる。
【００５１】
図９に示す第１下方補助係止部７１と第２下方補助係止部７２は、エプロン本体２０の裏面１７側に設けられている。
図１１と図１２に示すように、受容部３０を形成する際には、図１１に示すように第１下方補助係止部７１が表面１６側に露出するよう突出部１０３を反転させて第１下方補助係止部７１を、第１上方補助係止部６１に着脱可能に止めて、同様にして第２下方補助係止部７２を第２上方補助係止部６２に対して着脱可能に止める。この場合に、突出部１０３，１０４が反転されて固定される分だけより確実に各横漏れ防止部１２１，１２２を形成することができ、さらに、図１１に示すように第１下方補助係止部７１が表面１６側には突出しないで、エプロン本体２０により裏側に隠すことができる。これによって美的外観をよくすることができる。
また、本実施の形態では、図９または図１０に示されるように、補強部８０の上方が各下方係止部５１，５２よりも幅広とされており、補強部８０の剛性を高めている。このように、補強部８０は、基材として使用される材料だけでなく、その太さや厚さを適宜選択することで、適切な剛性や軽さを与えることができる。
【００５２】
第４の実施形態
図１３乃至図１５は、本発明のエプロンの第４の実施形態を示している。
図１３に示すエプロン１０が、図３に示すエプロン１０と異なるのは、補強部８０の形状と、切り欠き部分１０１，１０２が省略されているとともに、第１上方補助係止部６１、第２上方補助係止部６２、第１下方補助係止部７１、第２下方補助係止部７２が省略されている点である。
【００５３】
図１３のエプロン１０のその他の構成要素については図３の対応する構成要素と同じであるので同じ符号を記してその説明を用いる。
図１３に示す補強部８０は、図１４にも示すように、中央部８０Ｄと端部８０Ｅ，８０Ｆを有している。中央部８０Ｄの図１３における下端部８０Ｇは、ほぼ山型になっているが、上端部８０Ｈはほぼ直線状である。
【００５４】
端部８０Ｅと端部８０Ｆは、中心線ＣＬを中心として左右対称形状である。端部８０Ｅと端部８０Ｆの上端部８０Ｉは上端部８０Ｈとほぼ一直線になっている。これに対して、端部８０Ｅと端部８０Ｆの下端部８０Ｊ，８０Ｋは、傾斜している。下端部８０Ｊ，８０Ｋは、それぞれ外側縁９１，９２に向けて上端部８０Ｉに対して幅が広くなるように傾斜している。
【００５５】
図１３のエプロン１０において、図１５に示すように落下物の受容部３０を形成する場合には、単純にエプロン本体２０の下方係止部５１，５２側が上方に向かうよう移動することで内側に折り返されるように変形させて、第１下方係止部５１を第１上方係止部４１に対して着脱可能に固定するとともに、第２下方係止部５２を第２上方係止部４２に対して着脱可能に固定する。
このようにすることで、図１５に示すように補強部８０の下端縁８０Ｇが、上側に来て上端部８０Ｈが下側に来る。同様にして端部８０Ｅ，８０Ｆの下端部８０Ｊ，８０Ｋが上側に来て、上端部８０Ｉがそれぞれ下側に来る。
【００５６】
このことから、補強部８０における中央領域の山形の下端部８０Ｇが受容部３０の上端部８０Ｄを上側に持ち上げた状態になるため、受容部３０の開口８１において身体から離間した領域においても、開口８１が下側に垂れることなく受容部３０を形成することができる。
そして端部８０Ｅ，８０Ｆの下端部８０Ｊ，８０Ｋは、それぞれ外方に向けて高くなるように傾斜していることから、受容部３０の一方の端部３０Ｒと３０Ｌをそれぞれ矢印Ｍで示すように斜め上方に向けて持ち上げることができる。
したがって、第１上方補助係止部６１、第２上方補助係止部６２、第１下方補助係止部７１、第２下方補助係止部７２が無くても、横漏れを防止することができる。
勿論この実施形態に加えて、これらの第１、第２上方補助係止部と第１、第２下方補助係止部が設けられていれば、さらに効果的に横漏れ防止を行うことができる。
【００５７】
第５の実施形態
図１６と図１７は、本発明のエプロンの第５の実施形態を示している。
図１６に示すエプロン１０が、図３に示すエプロン１０と異なるのは、第１上方係止部４１と第２上方係止部４２の形状および配置方向と、第１下方係止部５１と第２下方係止部５２の形状である。
【００５８】
第１下方係止部５１と第２下方係止部５２は、たとえば図３の第１下方係止部５１と第２下方係止部５２に比べて幅Ｗが大きく設定されている。
第１上方係止部４１と第２上方係止部４２は、幅Ｗ１側を、図３に示す第１上方係止部４１と第２上方係止部４２に比べて大きく設定されているとともに、斜め上方に矢印Ｎに沿って斜め上方に向けて配置されている。
【００５９】
このように第１上方係止部４１と第２上方係止部４２をＮ方向に沿って斜めに設けることにより、図１７に示すように第１下方係止部５１は第１上方係止部４１のＮ方向に沿って着脱可能に止めるとともに、第２下方係止部５２は第２上方係止部４２のＮ方向に沿って着脱可能に止める。
したがって、エプロン本体２０における受容部３０の一方の側部３０Ｐと他方の側部３０Ｑは、それぞれＮ方向に持ち上げられることから、側部３０Ｐと側部３０Ｑはそれぞれ横漏れ防止部として機能させることができる。
しかも、各上方係止部４１，４２の長さＷ１が、各下方係止部５１，５２の長さＷよりも大きく形成されているため、使用者Ｍの体形や姿勢などに合わせて固定位置を調整することができる。
図１６のエプロン１０においても、図３に示す第１上方補助係止部６１と第２上方補助係止部６２、第１下方補助係止部７１と第２下方補助係止部７２は省略されている。
なお、ここでは各下方係止部５１，５２を左右方向に向かう一方に長い形状とし、各上方係止部４１，４２を斜め上方向に向かう一方に長い形状としているが、逆転させて、各上方係止部４１，４２を上下方向に向かう一方に長い形状として形成し、各下方係止部５１，５２を斜め下方向に向かう一方に長い形状としてもよい。
【００６０】
第６の実施形態
図１８と図１９は、本発明のエプロンの第６の実施形態を示している。
図１８に示すエプロン１０が、図１６に示すエプロンと異なるのは、第１上方係止部４１、第２上方係止部４２、第１下方係止部５１、第２下方係止部５２がそれぞれたとえば正方形状になっている。そして補強部８０は図１６に示す補強部８０と同様なものを採用している。
【００６１】
これに対して、エプロン本体２０の外側縁９１と９２にはそれぞれ輪状の突出部１５１，１５２が設けられている。これらの突出部１５１，１５２は、エプロン本体２０の中間位置よりやや上において外側に突出して設けられている。つまり輪状の突出部１５１は、第１上方係止部４１と第１下方係止部５１の上下方向に関してほぼ中央位置であり、輪状の突出部１５２は、第２上方係止部４２と第２下方係止部５２の上下方向に関してほぼ中間位置に形成されている。
【００６２】
第１下方係止部５１と第２下方係止部５２には、それぞれ持ち手１７１，１７２が設けられている。これらの持ち手１７１，１７２は、たとえば布状の部材により形成されており、不使用時においては雄部材とされた各下方係止部５１，５２を覆って保護できるよう形成されている。
図１９に示すように落下物の受容部３０を形成する場合には、図１８に示すように作業者は持ち手１７１を指で持って輪状の突出部１５１の後ろ側から図面上手前側に引き入れて、その後第１下方係止部５１を第１上方係止部４１に対して着脱可能に止める。さらに作業者は、持ち手１７２を持って輪状の突出部１５２の後ろ側から紙面手前側に引き入れて第２下方係止部５２を第２上方係止部４２に対して着脱可能に止める。
【００６３】
これによって、図１９に示すような落下物の受容部３０を立体的に形成することができる。
しかも、図１９において、輪状の突出部１５１の存在により、第１横漏れ防止部１２１が形成できるとともに、輪状の突出部１５２が存在していることにより、第２横漏れ防止部１２２が形成できる。受容部３０内に収容された落下物は、横漏れすることが無くなる。
【００６４】
第７の実施形態
図２０と図２１は、本発明のエプロンの第７の実施形態を示している。
図２０に示す１０が、図３に示すエプロン１０と異なるのは、主に第１上方係止部４１、第２上方係止部４２と、第１下方係止部５１と第２下方係止部５２の構成が異なることである。
【００６５】
第１上方係止部４１と第２上方係止部４２は、図２１に示すようなオス部２００を備えている。このオス部２００は、たとえば第１上方係止部４１と第２上方係止部４２のそれぞれに上下２ヶ所設けられている。各オス部２００，２００は、中心軸ＣＬと平行な方向に間隔をおいて配列されている。
これに対して第１下方係止部５１と第２下方係止部５２は、図２１に示すようにメス部２０１を有している。このメス部２０１に対してオス部２００がはまり込むことにより、既に述べたような落下物の受容部を形成することができる。この場合に、たとえばオス部２００を選択することにより、受容部の深さもしくは容量をたとえば２段階で変更することができる。
【００６６】
図２０と図２１では、オス部２００とメス部２０１の構成のはめ込みにより受容部を形成するようにしているが、これに限らずいわゆる面ファスナを用いても勿論構わない。この場合に第１上方係止部４１と第２上方係止部４２の面ファスナは、中心軸ＣＬに平行な方向に長く形成されていれば、第１下方係止部５１と第２下方係止部５２が第１上方係止部４１と第２上方係止部４２に対して止める位置を変えることにより、受容部の収容能力を変更することができる。
また、各係止部はこの他にも、クリップなどのはさみ部材と突片によって構成するなど、各上方係止部４１，４２と各下方係止部５１，５２を係止可能な構成ならば適宜選択することができる。
【００６７】
第８の実施形態
図２２と図２３は、本発明のエプロンの第８の実施形態を示している。
図２２に示すエプロン１０が、図３に示すエプロン１０と異なるのは主に次のようなことである。すなわち第１上方係止部４１が、係止部分４１Ａ，４１Ｂを有している。これに対して第２上方係止部４２は、係止部分４２Ａ，４２Ｂを有している。
【００６８】
第１下方係止部５１は、係止部分５１Ａ，５１Ｂを有し、第２下方係止部５２は、係止部分５２Ａ，５２Ｂを有している。
このように、各係止部は、複数の係止部分により構成されている。
第１下方係止部分５１の内、内側に位置する下方係止部分５１Ａが、第１上方係止部４１の内、内側でかつ下側に位置する上方係止部４１Ａに係止され、第１下方係止部分５１の内、外側に位置する下方係止部分５１Ｂが、第１上方係止部４１の内、外側でかつ上側に位置する上方係止部４１Ｂに係止される。同様に、第２下方係止部５２の各下方係止部５２Ａ，５２Ｂが、それぞれ第２上方係止部４２の各上方係止部４２Ａ，４２Ｂに係止される。
これによって、図２３に示すように、受容部３０を形成することができるが、収容部３０の一方端２３１と他方端２３２は、それぞれＮ方向に沿って斜め上方に向けて持ち上げられることになる。これによって、受容部３０内に収容された落下物の横漏れを防止することができる。
【００６９】
このように横漏れ防止効果を達成できるのは、次のような理由からである。
すなわち第１上方係止部４１の係止部分４１Ａに比べて係止部分４１ＢがＮ方向に沿って斜め上方かつ外側に配置されていることである。同様にして、第２上方係止部４２の係止部分４２Ｂが、係止部分４２Ａに比べてＮ方向に向けて斜め上方でかつ外側に配置されていることである。つまり上方で外側に位置する各上方係止部４１Ｂ、４２Ｂに、外側に位置する各下方係止部５１Ｂ，５２Ｂが係止されることに伴い、内側の各下方係止部５１Ａ，５２Ａと各上方係止部４１Ａ，４２Ｂによって形成された受容部３０の両脇を覆うよう構成することができる。
【００７０】
上述のように各係止部が複数の係止部分を有していることにより、受容部を組み立ててかつ横漏れ防止効果も発揮することができる。
使用者がエプロンの首周り部を用いて首周りに対して取り付けて、エプロン本体は使用者の衣服を覆う。
この状態で、落下物の受容部が形成されると、受容部の開口部は、補強部の存在により確実に形成することができる。このことから、使用者が食事をする際に食べこぼしをした食物や液体は、この落下物の受容部により確実に収容することができる。
【００７１】
しかも、補強部は各上方係止部よりも幅広とされた各下方係止部を結ぶよう構成されていることで、確実に受容部を構成することができ、開口を広げた状態を維持できる。
さらに、補強部は脆弱部を有しているので、エプロンを折り畳む際に補強部の存在が邪魔にならず、補強部の脆弱部を用いて、エプロンは簡単に畳むことができる。また、この補強部が脆弱部を有しているので、落下物の受容部を形成する際に、落下物の受容部が使用者の前方に飛び出した立体的な形状にすることができる。このことから、落下物の受容部の開口部が確実に形成できるというメリットもある。
【００７２】
落下物の受容部を形成すると、少なくとも落下物の受容部の内部は防水処理を施しているので、食べこぼしをした食物や液体を確実に収容することができる。この防水処理は、撥水処理や防水性を有する基材による形成を含むものである。
落下物の受容部内に収容された落下物が、第１横漏れ防止部と第２横漏れ防止部の存在により、横方向に漏れるのを確実に防ぐことができる。
【００７３】
補強部の自重によって、落下物の受容部の先端が少し下がることに伴い、補強部の一端部と補強部の他端部が上方に向く方向になる。これによって、落下物の受容部の一方側と他方側が斜め上方に向かうことになり、受容部の開口をさらに確実に立体的に形成することができる。
落下物の受容部の一端部と他端部が斜め上方に向かって積極的に形成できるので、受容部の開口をより積極的に形成することができる。
【００７４】
第１下方係止部と第２下方係止部はそれぞれ輪状の突出部を通じて対応する第１上方係止部と第２上方係止部に着脱自在に止めることにより、エプロン本体の一方の外側縁と他方の外側縁が吊り上げられる。したがって、落下物の受容部の一方側と他方側から、落下物が横漏れするのを確実に防ぐことができる。
第１下方補助係止部と第２下方補助係止部がエプロン本体の裏面側にあったとしても、受容部が形成された状態では、エプロン本体の表面側に位置してしかもエプロン本体により隠れているので直接第１下方補助係止部と第２下方補助係止部が外部に露出するのを防ぐことができるので、美的外観が向上する。
【００７５】
ところで本発明は上記実施形態に限定されるものではない。
上述した実施形態ではエプロンはたとえば防水性を有する繊維を織った基材により作られていて、必要な部分には撥水処理を行っている。
しかし、エプロンの素材としては、布製の基材に限らず、プラスチックや紙のシート、その他の種類のシートであっても勿論構わない。この場合に少なくとも受容部を構成する領域には防水処理領域を形成するのが望ましい。しかし、最も好ましくはエプロンの表面側の全面にわたって防水処理をするのが望ましい。
【００７６】
上述した実施形態では各係止部は所謂面ファスナのオス部材とメス部材の組み合わせを用いている。しかし各係止部は、メスホックとオスホックを用いて機械的に着脱可能に結合する形式のものを採用しても良い。
補強部の形状は、図示の形状に限らず各種の形状を採用することができる。補強部の脆弱部の数は２つに限らず必要に応じて１つもしくは３つ以上であっても勿論構わない。
【００７７】
本発明は、上記実施形態に限定されず、特許請求の範囲を逸脱しない範囲で種々の変更を行うことができる。
上記実施形態の各構成は、その一部を省略したり、上記とは異なるように任意に組み合わせることができる。
【００７８】
【発明の効果】
以上説明したように、本発明によれば、使用者が食事をする際に食べこぼしをした食物や液体などの落下物を確実に受け入れて収納することができる。
【図面の簡単な説明】
【図１】本発明のエプロンの第１の実施形態の使用例を示す斜視図。
【図２】本発明のエプロンの第１の実施形態の別の使用例を示す斜視図。
【図３】本発明のエプロンの第１の実施形態を示す展開した状態の平面図。
【図４】図３のエプロンに用いられている補強部の形状例を示す斜視図。
【図５】図３のエプロンにおいて受容部を組み立てる際の第１段階の状態を示す図。
【図６】図３のエプロンにおいて落下物の受容部を形成した状態を示す平面図。
【図７】本発明のエプロンの第２の実施形態を示す展開した状態を示す平面図。
【図８】図７のエプロンにおいて落下物の受容部を形成するための第１段階を示す図。
【図９】本発明のエプロンの第３の実施形態の展開した平面図。
【図１０】図９に用いられている補強部の形状例を示す斜視図。
【図１１】図９のエプロンにおいて受容部を形成するための第１段階を示す図。
【図１２】図９のエプロンにおいて受容部を形成した状態を示す平面図。
【図１３】本発明のエプロンの第４の実施形態を示す展開した状態を示す平面図。
【図１４】図１３のエプロンに用いられている補強部の形状例を示す斜視図。
【図１５】図１３のエプロンにおいて受容部を形成した状態を示す平面図。
【図１６】本発明のエプロンの第５の実施形態を示す展開した状態を示す平面図。
【図１７】図１６のエプロンにおいて受容部を形成した状態を示す平面図。
【図１８】本発明のエプロンの第６の実施形態を示す展開した状態を示す平面図。
【図１９】図１８のエプロンにおいて受容部を形成した状態を示す平面図。
【図２０】本発明のエプロンの第７の実施形態を示す展開した状態を示す平面図。
【図２１】図２０のエプロンに用いられている係止部の形状例を示す斜視図。
【図２２】本発明のエプロンの第８の実施形態を示す展開した状態を示す平面図。
【図２３】図２２のエプロンにおいて受容部を形成した状態を示す平面図。
【符号の説明】
Ｍ・・・使用者、１０・・・エプロン、１５・・・首周り部、２０・・・エプロン本体、４１・・・第１上方係止部、４２・・・第２上方係止部、５１・・・第１下方係止部、５２・・・第２下方係止部、５５・・・防水処理領域部、６１・・・第１上方補助係止部、６２・・・第２上方補助係止部、７１・・・第１下方補助係止部、７２・・・第２下方補助係止部、８０・・・補強部、８３・・・脆弱部、９１，９２・・・外側縁、１０１，１０２・・・切り欠き部分
【図１】
2005023476.tif 000003
【図２】
2005023476.tif 000004
【図３】
2005023476.tif 000005
【図４】
2005023476.tif 000006
【図５】
2005023476.tif 000007
【図６】
2005023476.tif 000008
【図７】
2005023476.tif 000009
【図８】
2005023476.tif 000010
【図９】
2005023476.tif 000011
【図１０】
2005023476.tif 000012
【図１１】
2005023476.tif 000013
【図１２】
2005023476.tif 000014
【図１３】
2005023476.tif 000015
【図１４】
2005023476.tif 000016
【図１５】
2005023476.tif 000017
【図１６】
2005023476.tif 000018
【図１７】
2005023476.tif 000019
【図１８】
2005023476.tif 000020
【図１９】
2005023476.tif 000021
【図２０】
2005023476.tif 000022
【図２１】
2005023476.tif 000023
【図２２】
2005023476.tif 000024
【図２３】
2005023476.tif 000025